(57)【要約】【課題】  メニューアイコンを用いたメニュー選択に際し、アイコンを容易に確認できるようにしつつ、操作性を高めて、ユーザの負担を軽減すること。【解決手段】  メニュー選択画面の初期画面として、表示部１００上に、メニューアイコン（Ａ〜Ｅの文字アイコンとする）と、位置固定の選択枠１０２とを表示する（状態１）。ここで、１方向または２方向に操作可能なシフトキー１１０をユーザが操作すると、５つのメニューアイコンの位置が一方向（ここでは下方向）に一つずれて状態２となる。以下、シフトキー１１０を操作する毎に、メニューアイコンがシフトしていき、状態３、状態４、状態５となり、一巡して状態１に戻る。つまり、メニューアイコンを、固定の選択枠１０２内を順次通過する態様で、循環させながらシフトする。所望のメニューアイコンが選択枠１０２に位置したときにユーザが選択キー１１２を操作すると、そのメニューアイコンに対応するメニュー項目（機能）が選択される。【選択図】  図１
2005209174.tif 000002
【特許請求の範囲】
【請求項１】
表示部と、この表示部上に表示される複数のメニューアイコンをシフトさせる操作入力を行う第１の操作キーを有する操作部とを備えるとともに、
前記表示部に、複数のメニューアイコンの少なくとも一部と、前記表示部上における位置が固定されている選択枠とを表示する機能と、
前記複数のメニューアイコンを仮想的に循環的なシフトが可能に配列し、前記第１の操作キーが操作された場合に、前記表示部上で、前記複数のメニューアイコンを、各メニューアイコンが前記選択枠を順次通過する形態で、循環させながらシフトさせる機能とを有する画像表示制御部を備える電子機器。
【請求項２】
請求項１に記載の電子機器であって、
前記表示部上に表示される複数のメニューアイコンの一つを選択する操作入力を行う第２の操作キーと、
前記第２の操作キーが操作された場合に、前記表示部に表示された前記選択枠の位置にあるメニューアイコンに対応するメニュー項目を選択する機能を有する動作制御部とをさらに備える電子機器。
【請求項３】
請求項１に記載の電子機器であって、
前記画像表示制御部は、前記表示部に、前記複数のメニューアイコンの少なくとも一部及び前記選択枠を表示するとともに、前記選択枠の位置にあるメニューアイコンに対応する詳細画像を表示する機能を有する電子機器。
【請求項４】
請求項３に記載の電子機器であって、
前記画像表示制御部は、前記詳細画像を、前記複数のメニューアイコンのうちの、前記選択枠の前後に位置するメニューアイコン以外の他のメニューアイコンの少なくとも一つの、少なくとも一部に重なるように、各メニューアイコンよりも大きく表示する電子機器。
【請求項５】
請求項３に記載の電子機器であって、
前記画像表示制御部は、前記複数のメニューアイコンのうちの、前記選択枠の前後に位置するメニューアイコン以外の他のメニューアイコンの少なくとも一つを非表示とする電子機器。
【請求項６】
請求項３に記載の電子機器であって、
前記画像表示制御部は、前記複数のメニューアイコンのうちの、前記選択枠の位置およびその近傍にあるメニューアイコンを、それ以外のメニューアイコンよりも大きく表示する電子機器。
【請求項７】
請求項３に記載の電子機器であって、
前記画像表示制御部は、前記第１の操作キーの操作に応じて前記複数のメニューアイコンを循環的にシフトさせているメニューアイコンの変位途中において、前記詳細画像を非表示とする電子機器。
【請求項８】
請求項７に記載の電子機器であって、
前記画像表示制御部は、前記選択枠に任意のメニューアイコンが位置し、前記メニューアイコンの変位が停止した場合に、この選択枠に位置するメニューアイコンに対応する詳細画像をこのメニューアイコンよりも大きく表示する電子機器。
【請求項９】
請求項１に記載の電子機器であって、
前記画像表示制御部は、前記複数のメニューアイコンの配列を変更可能とした電子機器。
【請求項１０】
請求項１に記載の電子機器であって、
前記画像表示制御部は、前記複数のメニューアイコンを前記表示部において縦方向に環状または列状に配置し、縦方向にシフト可能に表示する機能を有する電子機器。
【請求項１１】
請求項１に記載の電子機器であって、
前記画像表示制御部は、前記複数のメニューアイコンを前記表示部において横方向に環状または列状に配置し、横方向にシフト可能に表示する機能を有する電子機器。
【請求項１２】
請求項１に記載の電子機器であって、
前記第１の操作キーは、一方向、または前記一方向に対する反対方向を含む二方向のシフト操作指示を行うものである電子機器。
【請求項１３】
請求項１２に記載の電子機器であって、
前記第１の操作キーは、上方向または下方向の一方向、或いは上方向及び下方向の二方向のシフト操作指示を行うものであり、
前記画像表示制御部は、前記複数のメニューアイコンを前記表示部において縦方向にシフト可能に表示する機能を有する電子機器。
【請求項１４】
請求項１２に記載の電子機器であって、
前記第１の操作キーは、左方向または右方向の一方向、或いは左方向及び右方向の二方向のシフト操作指示を行うものであり、
前記画像表示制御部は、前記複数のメニューアイコンを前記表示部において横方向にシフト可能に表示する機能を有する電子機器。
【請求項１５】
請求項１２に記載の電子機器であって、
前記第１の操作キーは、上方向または下方向の一方向と左方向または右方向の一方向とを含む少なくとも二方向、或いは上下方向及び左右方向の４方向のシフト操作指示を行うものであり、
前記画像表示制御部は、前記第１の操作キーによる上方向または下方向の操作と左方向または右方向の操作との操作指示方向の切替えに応じて、前記複数のメニューアイコンの配置を縦方向と横方向とに切り替えて表示する機能を有する電子機器。
【請求項１６】
表示部と、この表示部上に表示される複数のメニューアイコンをシフトさせる操作入力を行う第１の操作キーを有する操作部とを備える電子機器におけるメニュー表示制御方法であって、
前記表示部に、複数のメニューアイコンの少なくとも一部と、前記表示部上における位置が固定されている選択枠とを表示するステップと、
前記複数のメニューアイコンを仮想的に循環的なシフトが可能に配列し、前記第１の操作キーが操作された場合に、前記表示部上で、前記複数のメニューアイコンを、各メニューアイコンが前記選択枠を順次通過する形態で、循環させながらシフトさせるステップとを有する電子機器におけるメニュー表示制御方法。
【請求項１７】
請求項１６に記載の電子機器におけるメニュー表示制御方法であって、
前記表示部に前記メニューアイコン及び前記選択枠を表示する際に、前記メニューアイコンよりも大きいウインドウを表示し、前記選択枠の位置にあるメニューアイコンに対応する詳細画像をこのウインドウに表示する電子機器におけるメニュー表示制御方法。
【請求項１８】
表示部に大きく表示されるウインドウと、このウインドウの近傍に表示される複数の小さなメニューアイコンからなるメニューアイコン群と、前記表示部上の固定位置に表示される選択枠とを利用して、ユーザが所望のメニューを選択することが可能な携帯端末装置であって、
前記表示部上に表示される前記複数のメニューアイコンをシフトさせる操作入力を行うシフトキーと、前記複数のメニューアイコンの一つを選択する操作入力を行う選択キーとを有する操作部と、
メニュー選択モード時において、前記メニューアイコン群の複数のメニューアイコンを仮想的に循環的なシフトが可能に配列し、前記メニューアイコン群の一部に前記ウインドウを重畳させ、このウインドウに前記選択枠の位置にあるメニューアイコンに対応する詳細画像を合成した画像を生成し、この合成画像を前記表示部上にメニュー選択のためのメニュー選択画面として表示する機能と、前記シフトキーが操作された場合に、前記メニューアイコン群を、各メニューアイコンが前記選択枠を順次通過する形態で、循環させながらシフトさせた画像を生成して表示する機能と、前記選択キーが操作された場合に、その時点で前記選択枠の位置にあるメニューアイコンに対応するメニュー項目を実行するための対応機能画面を表示する機能とを有する画像表示制御部と、
を備える携帯端末装置。
【発明の詳細な説明】
【技術分野】
【０００１】
本発明は、表示部にメニュー選択画面を表示してメニュー項目の選択が可能な携帯端末装置等の電子機器及び電子機器におけるメニュー表示制御方法に関する。
【背景技術】
【０００２】
電子機器において、複数のメニューの中から一つのメニューを選ぶ方法としては、メニューアイコンの一覧を液晶パネル等の表示部に表示し、カーソルや矢印を操作して所望のアイコンを指定する方法がある。
【０００３】
このようなメニュー選択方式を採用した携帯電話機は、特許文献１に記載されている。特許文献１に記載の携帯電話機では、９個（３行×３列）のアイコンを液晶表示部上に表示しておき、カーソルを所望のアイコン上に移動させ、そのアイコンを選択する。そして、アイコンが選択されると、その選択されたアイコンが大きく拡大されて表示される。ただし、アイコンが拡大表示されることによって、他のアイコンが見えなくなってしまう事態が生じるのを避けるため、他のアイコンを小さく表示し、全部のアイコンが見えるようにしている。
【０００４】
上記従来例のように、表示画面上に配列された複数のアイコンをカーソル等で選択する方法では、カーソルを２次元の面上で操作（例えば、上下左右に操作）する必要があり、その操作が必ずしも容易ではない。
【０００５】
また、特許文献１では、アイコンを見やすくするために拡大表示するようにしているが、近年の電子機器の小型化の傾向（このことは、液晶ディスプレイ等の表示部も小型化されることを意味する）を考慮すると、拡大表示する倍率も、例えば、１．５倍程度が限度であると考えられる。ここで、拡大倍率を大きくして、アイコンを拡大し過ぎると、その分、他のアイコンを表示するスペースが減少し、アイコンが小さくなりすぎ、次にアイコンを操作するときに不便である、という不都合が生じる可能性もある。
【０００６】
【特許文献１】特開２００２−２６１９１８号公報
【発明の開示】
【発明が解決しようとする課題】
【０００７】
本発明は、上記事情に鑑みてなされたもので、メニューアイコンを用いたメニュー選択に際し、アイコンを容易に確認できるようにしつつ、操作性を高めて、ユーザの負担を軽減することが可能な電子機器及び電子機器におけるメニュー表示制御方法を提供することを目的とする。
【課題を解決するための手段】
【０００８】
本発明の電子機器は、表示部と、この表示部上に表示される複数のメニューアイコンをシフトさせる操作入力を行う第１の操作キーを有する操作部とを備えるとともに、
前記表示部に、複数のメニューアイコンの少なくとも一部と、前記表示部上における位置が固定されている選択枠とを表示する機能と、前記複数のメニューアイコンを仮想的に循環的なシフトが可能に配列し、前記第１の操作キーが操作された場合に、前記表示部上で、前記複数のメニューアイコンを、各メニューアイコンが前記選択枠を順次通過する形態で、循環させながらシフトさせる機能とを有する画像表示制御部を備えるものである。
【０００９】
この構成により、カーソル等を所望のアイコンに移動させるのではなく、複数のメニューアイコンを順次、選択枠を通過していく態様で、循環しながらシフトさせ、所望のメニューアイコンが選択枠に収まった時点で、そのメニューアイコンを選択することにより、メニュー項目を選択することができる。この場合、アイコンの相互の関係を把握し易く、したがって、ユーザにとって、見やすいメニュー選択画面が実現される。また、メニューアイコンのシフトのための操作は、基本的には一方向にシフトさせるだけでよく、一次元（線形）のシフト動作であるため、ユーザの負担は少ない。このように、直感的に、かつ、より簡単にメニュー選択をすることができ、メニュー選択時のユーザの負担が軽減される。
【００１０】
また、本発明の一態様として、上記の電子機器であって、前記表示部上に表示される複数のメニューアイコンの一つを選択する操作入力を行う第２の操作キーと、前記第２の操作キーが操作された場合に、前記表示部に表示された前記選択枠の位置にあるメニューアイコンに対応するメニュー項目を選択する機能を有する動作制御部とをさらに備えるものも含まれる。
【００１１】
この構成により、メニューアイコンの循環的なシフト操作を行った後、所望のメニューアイコンが選択枠内に位置したときに、選択操作によってこのメニューアイコンに対応するメニュー項目を選択して実行することが可能となる。
【００１２】
また、本発明の一態様として、上記の電子機器であって、前記画像表示制御部は、前記表示部に、前記複数のメニューアイコンの少なくとも一部及び前記選択枠を表示するとともに、前記選択枠の位置にあるメニューアイコンに対応する詳細画像を表示する機能を有するものも含まれる。
【００１３】
この構成により、メニューアイコンのみならず、メニューアイコンに対応する詳細画像を表示することで、ユーザにおけるメニューアイコンの視認性を高めることができ、さらに操作性が向上する。
【００１４】
また、本発明の一態様として、上記の電子機器であって、前記画像表示制御部は、前記詳細画像を、前記複数のメニューアイコンのうちの、前記選択枠の前後に位置するメニューアイコン以外の他のメニューアイコンの少なくとも一つの、少なくとも一部に重なるように、各メニューアイコンよりも大きく表示するものも含まれる。
【００１５】
この構成により、メニューアイコンの一部に詳細画像を重ねるように表示することで、メニューアイコンの視認性を向上させながらも、表示スペースを削減することができ、装置の小型化に有効である。
【００１６】
また、本発明の一態様として、上記の電子機器であって、前記画像表示制御部は、前記複数のメニューアイコンのうちの、前記選択枠の前後に位置するメニューアイコン以外の他のメニューアイコンの少なくとも一つを非表示とするものも含まれる。
【００１７】
この構成により、選択枠の前後のメニューアイコンを除いて、他のメニューアイコンの表示を消去することで、メニューアイコンの表示スペースを最小化することができる。本発明では、基本的には、選択枠の前後の（一つか二つ程度の）アイコンさえ表示されていればメニュー選択を行うことができるため、表示部が狭い場合には、表示するメニューアイコンの数を削減することができる。
【００１８】
また、本発明の一態様として、上記の電子機器であって、前記画像表示制御部は、前記複数のメニューアイコンのうちの、前記選択枠の位置およびその近傍にあるメニューアイコンを、それ以外のメニューアイコンよりも大きく表示するものも含まれる。
【００１９】
この構成により、選択枠よりも遠い位置にあるメニューアイコンを小さく表示することで、メニューアイコンの表示スペースを削減することができる。また、遠近感を意識した表示ができ、メニューアイコン群の視認性を高めることが可能である。
【００２０】
また、本発明の一態様として、上記の電子機器であって、前記画像表示制御部は、前記第１の操作キーの操作に応じて前記複数のメニューアイコンを循環的にシフトさせているメニューアイコンの変位途中において、前記詳細画像を非表示とするものも含まれる。
【００２１】
この構成により、メニューアイコンを循環させている最中において、詳細画像の表示を消去することにより、ユーザは、メニューアイコン群の全体像の把握及び所望のメニューアイコンの確認に集中することができる。また、詳細画像が表示されないときは、その分、メニューアイコン表示のためのスペースが増大したことになり、表示部が狭い場合でも、全部のメニューアイコンを表示できる等のメリットも得られる。
【００２２】
また、本発明の一態様として、上記の電子機器であって、前記画像表示制御部は、前記選択枠に任意のメニューアイコンが位置し、前記メニューアイコンの変位が停止した場合に、この選択枠に位置するメニューアイコンに対応する詳細画像をこのメニューアイコンよりも大きく表示するものも含まれる。
【００２３】
この構成により、現在選択枠内にあるメニューアイコンの詳細を確認することができ、選択したい所望のメニューアイコンの内容確認を容易に行うことが可能となる。
【００２４】
また、本発明の一態様として、上記の電子機器であって、前記画像表示制御部は、前記複数のメニューアイコンの配列を変更可能としたものも含まれる。
【００２５】
この構成により、メニューアイコンの配列を、各メニューの選択頻度、選択履歴などに応じて、あるいはユーザによる設定に応じて変更でき、選択される確率の高いメニューアイコンを選択枠の近傍に配置できるため、操作性をさらに向上させることができる。
【００２６】
また、本発明の一態様として、上記の電子機器であって、前記画像表示制御部は、前記複数のメニューアイコンを前記表示部において縦方向に環状または列状に配置し、縦方向にシフト可能に表示する機能を有するものも含まれる。
【００２７】
この構成により、メニューアイコンを縦方向に配列してシフトさせ、選択することが可能となる。
【００２８】
また、本発明の一態様として、上記の電子機器であって、前記画像表示制御部は、前記複数のメニューアイコンを前記表示部において横方向に環状または列状に配置し、横方向にシフト可能に表示する機能を有するものも含まれる。
【００２９】
この構成により、メニューアイコンを横方向に配列してシフトさせ、選択することが可能となる。
【００３０】
また、本発明の一態様として、上記の電子機器であって、前記第１の操作キーは、一方向、または前記一方向に対する反対方向を含む二方向のシフト操作指示を行うものであるものも含まれる。
【００３１】
この構成により、ユーザが単純で簡易な操作によって、直感的にメニューアイコンのシフト操作を行うことができ、メニュー選択時の操作性を向上できる。
【００３２】
また、本発明の一態様として、上記の電子機器であって、前記第１の操作キーは、上方向または下方向の一方向、或いは上方向及び下方向の二方向のシフト操作指示を行うものであり、前記画像表示制御部は、前記複数のメニューアイコンを前記表示部において縦方向にシフト可能に表示する機能を有するものも含まれる。
【００３３】
この構成により、第１の操作キーの操作指示に応じてメニューアイコンを縦方向にシフトさせ、選択することが可能となる。
【００３４】
また、本発明の一態様として、上記の電子機器であって、前記第１の操作キーは、左方向または右方向の一方向、或いは左方向及び右方向の二方向のシフト操作指示を行うものであり、前記画像表示制御部は、前記複数のメニューアイコンを前記表示部において横方向にシフト可能に表示する機能を有するものも含まれる。
【００３５】
この構成により、第１の操作キーの操作指示に応じてメニューアイコンを横方向にシフトさせ、選択することが可能となる。
【００３６】
また、本発明の一態様として、上記の電子機器であって、前記第１の操作キーは、上方向または下方向の一方向と左方向または右方向の一方向とを含む少なくとも二方向、或いは上下方向及び左右方向の４方向のシフト操作指示を行うものであり、前記画像表示制御部は、前記第１の操作キーによる上方向または下方向の操作と左方向または右方向の操作との操作指示方向の切替えに応じて、前記複数のメニューアイコンの配置を縦方向と横方向とに切り替えて表示する機能を有するものも含まれる。
【００３７】
この構成により、第１の操作キーの操作指示に応じて、メニューアイコンの配置を縦方向と横方向とに切り替えて表示し、縦方向または横方向にそれぞれシフト可能にすることができる。
【００３８】
本発明の電子機器におけるメニュー表示制御方法は、表示部と、この表示部上に表示される複数のメニューアイコンをシフトさせる操作入力を行う第１の操作キーを有する操作部とを備える電子機器におけるメニュー表示制御方法であって、前記表示部に、複数のメニューアイコンの少なくとも一部と、前記表示部上における位置が固定されている選択枠とを表示するステップと、前記複数のメニューアイコンを仮想的に循環的なシフトが可能に配列し、前記第１の操作キーが操作された場合に、前記表示部上で、前記複数のメニューアイコンを、各メニューアイコンが前記選択枠を順次通過する形態で、循環させながらシフトさせるステップとを有するものである。
【００３９】
この手順により、直感的に、かつ、より簡単にメニュー選択をすることができる。したがって、メニューアイコンを用いたメニュー選択に際し、アイコンを容易に確認できるようにしつつ、操作性を高めて、ユーザの負担を軽減することが可能となる。
【００４０】
また、本発明の一態様として、上記の電子機器におけるメニュー表示制御方法であって、前記表示部に前記メニューアイコン及び前記選択枠を表示する際に、前記メニューアイコンよりも大きいウインドウを表示し、前記選択枠の位置にあるメニューアイコンに対応する詳細画像をこのウインドウに表示するものも含まれる。
【００４１】
この手順により、メニューアイコンに対応する詳細画像を表示することで、ユーザが選択するメニューアイコンの内容を容易に確認することができ、メニューアイコンの視認性を高めることが可能となる。
【００４２】
また、本発明の携帯端末装置は、表示部に大きく表示されるウインドウと、このウインドウの近傍に表示される複数の小さなメニューアイコンからなるメニューアイコン群と、前記表示部上の固定位置に表示される選択枠とを利用して、ユーザが所望のメニューを選択することが可能な携帯端末装置であって、前記表示部上に表示される前記複数のメニューアイコンをシフトさせる操作入力を行うシフトキーと、前記複数のメニューアイコンの一つを選択する操作入力を行う選択キーとを有する操作部と、メニュー選択モード時において、前記メニューアイコン群の複数のメニューアイコンを仮想的に循環的なシフトが可能に配列し、前記メニューアイコン群の一部に前記ウインドウを重畳させ、このウインドウに前記選択枠の位置にあるメニューアイコンに対応する詳細画像を合成した画像を生成し、この合成画像を前記表示部上にメニュー選択のためのメニュー選択画面として表示する機能と、前記シフトキーが操作された場合に、前記メニューアイコン群を、各メニューアイコンが前記選択枠を順次通過する形態で、循環させながらシフトさせた画像を生成して表示する機能と、前記選択キーが操作された場合に、その時点で前記選択枠の位置にあるメニューアイコンに対応するメニュー項目を実行するための対応機能画面を表示する機能とを有する画像表示制御部と、を備えるものである。
【００４３】
この構成により、直感的に、かつ、より簡単な操作でメニュー選択をすることができ、メニュー選択時の視認性及び操作性を向上させ、ユーザの負担を軽減できる。また、表示部の表示エリアの面積や操作部の機能は最小限で済むため、装置の小型化を図ることが可能である。
【発明の効果】
【００４４】
本発明によれば、メニューアイコンを用いたメニュー選択に際し、アイコンを容易に確認できるようにしつつ、操作性を高めて、ユーザの負担を軽減することが可能な電子機器及び電子機器におけるメニュー表示制御方法を提供できる。
【発明を実施するための最良の形態】
【００４５】
本実施形態では、電子機器の一例として、携帯電話装置等の携帯端末装置に適用した場合を示し、このような電子機器におけるメニュー選択等に関する動作の例を説明する。
【００４６】
（第１の実施形態）
まず、本発明の第１の実施形態として、本発明に係る電子機器におけるメニュー表示制御方法の概要について説明する。
【００４７】
図１は本発明の第１の実施形態に係るメニュー表示制御方法の特徴を説明するための図である。メニュー選択画面を表示する場合に、電子機器の表示部１００には、複数のメニューアイコンが表示される。ここでは、メニューアイコンの簡単な例として、Ａ、Ｂ、Ｃ、Ｄ、Ｅの５つの文字アイコンを示す。メニューアイコンの各々は、一つのメニュー項目（例えば、電子機器の機能）に対応している。また、メニュー選択画面における右側の中央部分には、選択枠１０２（図中、太い四角で示されている）が表示される。この選択枠１０２の位置は固定である。
【００４８】
これらのメニューアイコンは、表示部１００のメニュー選択画面上で、ユーザ操作に応じて循環的にシフトされる。ここで、「循環的なシフト」とは、アイコンの位置が順次、シフトしていくが、そのシフトを続けていくと、やがて一巡し、もとの位置に戻ってくるような態様のシフト動作を意味する。
【００４９】
電子機器には、操作キーとして、メニューアイコンを循環的にシフトさせるためのシフトキー１１０と、所望のアイコンを選択するための選択キー１１２とが用意されている。シフトキー１１０は、上下の２方向にメニューアイコンをシフトさせることができる機能をもつのが望ましいが、基本的には、一方向（例えば、下方向）にシフトさせる機能をもつだけでもよい。
【００５０】
図１に示されるように、本実施形態のメニュー選択画面では、５つのメニューアイコンの位置（配置）によって、５つの状態（状態１〜状態５）に分類することができる。
【００５１】
シフトキー１１０を１回押下する毎に、５つのメニューアイコンが、例えば、下方向（時計回り）に移動し、これを繰り返すことで、状態１、状態２、状態３、状態４、状態５の順に遷移し、一巡して、再び、状態１に戻る。
【００５２】
メニュー選択を行う場合には、所望のメニューが選択枠１０２内に位置しているときに、ユーザが選択キー１１２を押下する。これにより、そのメニューアイコンに対応したメニュー項目が選択され、そのメニュー項目を実行するための対応機能画面の表示に移行する（図１では不図示）。
【００５３】
このように、本実施形態では、メニューアイコン自体を一つのキー操作に応じて循環的にシフトさせることで、所望のメニューアイコンを選択枠に誘導して移動させ、所望のメニュー項目を選択するようにしている。このようなメニュー表示制御方法を採用することにより、ユーザは、直感的に、かつ、より簡単な操作でメニュー選択をすることができ、メニュー選択時のユーザの負担が軽減される。
【００５４】
この場合、選択枠が固定されているため、ユーザは視点を移動させる必要がない。また、メニューアイコンが循環的なシフトを行うため、ユーザはアイコンの相互の関係を把握し易く、ユーザにとって見やすいアイコン選択画面が実現される。
【００５５】
また、メニューアイコンを基本的には一方向にシフトさせるだけでよいため、ユーザの操作時の負担は少ない。なお、メニューアイコンは両方向にシフトできるようにしてもよく、この場合所望のメニュー項目を迅速に選択可能となる。また、メニューアイコンを用いることでユーザは直感的な操作が可能である。さらに、複数のメニューアイコンを循環させるような形態で配置することで、メニューアイコンの配列や全体像の把握が容易である。このことから、ユーザには、所望のメニューアイコンが選択枠に早く到着するように感じられ、この点でもユーザの心理的な負担が軽減される。
【００５６】
図２は表示部のメニュー選択画面において、メニューアイコンと詳細画像表示用のウインドウとを表示する場合の表示態様の例を示す図である。図２において、（ａ）はウインドウとメニューアイコンの双方を分離すると共にメニューアイコンの全てを表示する第１の態様を示し、（ｂ）は一部のメニューアイコンにウインドウが部分的に重なる第２の態様を示し、（ｃ）はウインドウとメニューアイコンの双方を分離すると共にメニューアイコンの一部を表示しない態様を示している。
【００５７】
図１の例では、表示部１００のメニュー選択画面においてメニューアイコンのみを表示する例を示したが、図２の例では、選択枠１０２内に位置しているメニューアイコンに対応するメニュー項目の詳細画像を表示するウインドウ１０４が表示される。
【００５８】
このウインドウ１０４は、メニューアイコンに比べてサイズが大きくなっている。ウインドウ１０４におけるメニューアイコンの詳細画像の表示は、選択枠１０２で選択されたメニュー項目の内容を示す詳細のアイコンを表示したり、選択枠１０２内に位置するメニューアイコンを拡大表示することにより行う。この際、詳細画像に、そのアイコンに対応するメニュー項目の内容を説明する文字等を付加してもよい。このように、ウインドウ１０４にメニューアイコンの詳細表示がなされることで、アイコンの視認性が向上する。
【００５９】
図２（ａ）の第１の態様では、ウインドウ１０４と、複数のメニューアイコンの全てが表示されている。また、図２（ｂ）の第２の態様では、一部のメニューアイコンとウインドウ１０４とが重なり、メニューアイコンが部分的に隠れる態様となっている。これにより、表示スペースの削減を図ることができる。
【００６０】
第２の態様のように、メニューアイコンが部分的に隠れていても、それらのアイコンの存在は認識でき、アイコンの視認性は維持される。また、メニューアイコンの循環的なシフトによるメニュー選択方式では、メニューアイコンを一方向にシフトしていれば、所望のメニューアイコンが選択枠１０２に必ず到着するという安心感があるため、メニューアイコンの一部が隠れていても、メニュー選択上、何ら問題は生じない。
【００６１】
図２（ｃ）の第３の態様は、循環的にシフト可能なように複数のメニューアイコンを仮想的に環状に配列し、これらのメニューアイコンの一部のみを表示する例である。この場合、全てのメニューアイコンを表示せずに、選択枠１０２の位置にあるメニューアイコン、ならびに、その前後に位置する１つずつの合計３つのアイコンのみを表示し、他のアイコンは表示しないようにして、さらに、表示スペースを削減している。
【００６２】
図３は、メニューアイコンのシフトに伴う表示制御の一例を示す図である。図３において、（ａ）は初期画面を示し、（ｂ）はシフト途中の画面を示し、（ｃ）はシフト停止時の画面を示す。
【００６３】
メニュー選択モードとなると、まず、図３（ａ）に示すようなメニュー選択画面の初期画面が表示される。ここでは、ウインドウとメニューアイコンの一部が重なる態様の表示（図２（ｂ））を採用している。
【００６４】
次に、ユーザがシフトキー１０２を押下すると、各メニューアイコンは下方向（時計回り）にシフトする（図２（ｂ））。このシフト状態、すなわちメニューアイコンがシフトし始めてからシフトが完了するまでは、詳細画像表示用のウインドウ１０４が消去され、これにより、ユーザはメニューアイコンの操作に集中することができる。また、複数のメニューアイコンの全てを完全に表示できるため、アイコンの視認性が向上する。
【００６５】
そして、メニューアイコンのシフトが完了すると（つまり、ユーザがシフトキーの押下を止めると）、図３（ｃ）のような表示に復帰する。ウインドウ１０４には、選択枠１０２の位置にあるメニューアイコン「Ｂ」が拡大表示される。この状態で、選択キー１１２を押下すると、メニューアイコン「Ｂ」に対応するメニューが選択され、そのメニューを実行するための表示に移行する（不図示）。
【００６６】
図４は、メニューアイコンの表示の他の態様を示す図である。この図４の例では、選択枠１０２の近傍のメニューアイコン（Ｉ１，Ｉ２，Ｉ７）は大きく表示し、それ以外（Ｉ３〜Ｉ６）は小さく表示することで、表示スペースを削減している。また、アイコン群の表示スペースを削減した分、ウインドウ１０４のサイズを大きくして、詳細表示されるアイコンの視認性を向上させることもできる。
【００６７】
この場合、メニューアイコンの大きさを各アイコンの位置に応じて変えることで、仮想的に環状に配列したメニューアイコン群を表現でき、遠近感を持たせて三次元的に知覚させることができる。また、遠近感を表したアイコン表示は、視覚上、斬新に映ることから、デザイン上の効果も期待することができる。
【００６８】
図５は、複数のメニューアイコンの配列を変更可能とした例を説明するための図である。図５において、（ａ）は配列変更前の表示態様を示し、（ｂ）は配列変更後の表示態様を示している。
【００６９】
メニューアイコンの配列変更は、ユーザの設定操作により任意に変更可能としたり、あるいは、メニュー項目の選択頻度や最近の選択履歴等に応じて、電子機器がメニューアイコンの配列を自動的に変更可能としてもよい。このようなメニューアイコンの配列変更によって、操作性をさらに向上することができる。図５（ｂ）の例では、メニュー選択画面の初期状態において、例えば、使用頻度の高いメニューアイコン「Ｂ」，「Ｄ」，「Ｅ」を選択枠１０２の近傍に配置することで、使い勝手を向上させている。
【００７０】
（第２の実施形態）
次に、本発明の第２の実施形態として、携帯電話装置に適用した場合の構成及び動作の例を説明する。図６は本発明の第２の実施形態に係る携帯電話装置の外観構成及びメニュー選択画面の内容を示す正面図である。なお、図６において、前掲の図と共通する部分には同じ参照符号を付してある。
【００７１】
第２の実施形態の携帯電話装置２００は、ストレート型の筐体により構成され、アンテナＡＮと、表示部（ここでは、液晶ディスプレイとする）１００と、スピーカ１１１と、テンキー１０８と、アイコンを循環的にシフトさせるためのシフトキー１１０と、選択キー１１２と、レシーバ（マイク）１１５とを備える。
【００７２】
表示部１００には、メニュー選択画面として、表示位置が固定されている選択枠１０２と、９個のメニューアイコン１０３によるアイコン群と、選択枠１０２で選択されたメニューアイコン１０３の詳細画像表示用のウインドウ１０４と、図中左上のキーが選択キー１１２として機能することを示すための「select」の英文字からなるソフトキー１０６とが表示されている。メニューアイコン１０３は、カメラ機能、メモリカード機能、各種設定機能、音設定機能、ブラウザ機能、メール機能、電話帳機能、データフォルダ機能などの携帯電話装置２００における各種機能に対応して設けられる。
【００７３】
この例では、表示部１００の表示スペースに限りがあり、全部のアイコンを完全に表示できないため、複数のアイコンに重ねて詳細画像表示用のウインドウ１００を表示する態様（図２（ｂ）の表示態様）を採用している。
【００７４】
図７は、図６の携帯電話装置におけるメニュー選択画面を抜き出して拡大して示す図である。表示部１００のメニュー選択画面において、９個のメニューアイコンＩ１〜Ｉ９のうち、Ｉ６〜Ｉ９の一部が詳細画像表示用のウインドウ１０４の下に隠れており、その一方で、９個のアイコン全部の存在は確認することができる。これにより、メニューアイコンの視認性を維持しつつ、表示スペースの削減を図ることができる。つまり、表示部１００が小さいために、十分な表示スペースがない場合にも、柔軟に対応することが可能となる。
【００７５】
図８は、本実施形態の携帯電話装置におけるメニュー選択画面の第１の変形例を示す図である。この図８の例は、表示部１００のサイズが大きく、十分な表示スペースが確保されている場合を想定した表示画面であり、９個のメニューアイコンＩ１〜Ｉ９のすべてを完全に表示している。これにより、アイコンの視認性が高まる。
【００７６】
図９は、本実施形態の携帯電話装置におけるメニュー選択画面の第２の変形例を示す図である。この図９の例は、表示部１００のサイズが小さく、図７のように、詳細画像表示用のウインドウ１０４をメニューアイコン１０３に重ね合わせてもなお、十分な表示スペースが確保できない場合における表示画面を示している。この場合、９個のメニューアイコンＩ１〜Ｉ９のうち、一部のＩ１〜Ｉ６のみを表示し、Ｉ７〜Ｉ９を表示しないようにしている。
【００７７】
従来のように、選択用のカーソルをアイコン上に移動させる方式では、このような一部のアイコンを表示しない態様は許されず、表示スクロールが必要になるため、各メニュー項目の把握がしづらくなる。一方、本実施形態の方式では、各メニューアイコン１０３は循環的にシフトし、必ず選択枠１０２の位置に来るため、一部のアイコンが表示されなくても、ユーザが各メニュー項目を把握でき、メニュー選択を十分に行うことができる。また、図９の表示画面では、選択枠１０２の前後２つのアイコンは常に表示されているため、アイコンが選択枠１０２の位置に急に現れるといった事態が生じず、操作性の問題は生じない。
【００７８】
図１０は、図６に示される第２の実施形態の携帯電話装置におけるハードウエアの構成を示すブロック図である。
【００７９】
携帯電話装置２００は、アンテナＡＮと、表示部１００と、無線送受信部３００と、メモリ部３１０と、制御部３２０と、操作部３３０（図６のテンキー１０８、シフトキー１１０、選択キー１１２を含む）と、音声入出力部３４０と、呼出信号出力部３５０と、マイク３４５と、スピーカ３４６，３５１と、バイブレータ３５２と、ＬＥＤ３５３とを備える。
【００８０】
図１１は、図１０に示されるハードウエアのより具体的な構成を示すブロック図である。無線送受信部３００は、デュプレクサ３０１と、受信用の高周波増幅器（ＲＦ）３０２と、Ａ／Ｄ変換器３０３と、モデム３０４と、コーデック３０５と、Ｄ／Ａ変換器３０６と、送信用の高周波増幅器（ＴＦ）３０７とを備える。音声入出力部３４０は、Ｄ／Ａ変換器３４１と、音声信号増幅器３４２，３４３と、Ａ／Ｄ変換器３４４とを備える。また、表示部１００は、液晶ディスプレイ（ＬＣＤ）１０１を有して構成される。
【００８１】
制御部３２０は、システム全体の動作を統括的に制御するＣＰＵ３２１と、ＲＡＭ３２２と、ＲＯＭ３２３と、表示部１００における表示を制御する画像コントローラ３２４と、画像合成部３２５と、ＬＣＤコントローラ３２６とを備える。
【００８２】
ここで、ＣＰＵ３２１と、モデム３０４、コーデック３０５、音声入出力部３４０、ＲＡＭ３２２、ＲＯＭ３２３、画像コントローラ３２４の各々は、バス（ＢＵＳ）を介して接続されており、これにより、データや制御信号の授受を行うことができる。
【００８３】
メモリ部３１０は、メニューアイコンの画像データを格納しているアイコン用メモリ３１１と、ウインドウ枠や選択枠等の背景画像の画像データを格納しているグラフィック用メモリ３１２と、詳細画像の画像データを格納したり、あるいはアイコン画像の拡大処理を行うための詳細表示用メモリ３１３とを備えている。
【００８４】
以下、図７〜図９に示すようなメニュー選択画面の表示を実現するための動作（メニューアイコンを循環させたり、詳細画像表示用ウインドウに選択メニューアイコンの詳細画像を表示する動作を含む）について説明する。
【００８５】
表示部１００（液晶ディスプレイ１０１）に表示される画像（静止画像）は、画像合成部３２５にて合成され、表示画面データが作成される。したがって、操作部３３０による操作によってメニューアイコンを循環シフトさせるためには、各メニューアイコンの位置が少しずつシフトした画像を順次合成し、出力すればよいことになる。
【００８６】
このとき、画像コントローラ３２４が、アイコン用メモリ３１１から複数のメニューアイコン１０３（Ｉ１〜Ｉ９）の画像を出力させ、また、グラフィック用メモリ３１２から選択枠１０２やウインドウ１０４の枠を含む背景画像を出力させる。そして、画像合成部３２５にて、メニューアイコンの画像と背景画像を合成する際、メニューアイコンの画像の位置を、操作部３３０（シフトキー１１０）の操作に応じて、少しずつ変位させる。これにより、表示部１１０（液晶ディスプレイ１０１）上で、メニューアイコン（Ｉ１〜Ｉ９）の各々を循環的に移動させることができる。
【００８７】
また、選択枠１０２に位置するメニューアイコン１０３に対応するメニュー項目の詳細表示を行うために、詳細表示用メモリ３１３を使用する。例えば、詳細表示用メモリ３１３に各メニュー項目の内容を示す詳細アイコンの画像データを格納しておく。あるいは、アイコン用メモリ３１１に格納されたメニューアイコンの画像データを読み出し、詳細表示用メモリ３１３上で画像を拡大する。例えば、メニューアイコンの画像を２倍に拡大する場合には、アイコン用メモリ３１１から読み出したアイコン画像の１画素のデータを、詳細表示用メモリ３１３の４画素（２画素×２画素）に書き込めばよい。
【００８８】
そして、詳細表示用メモリ３１３から、詳細画像用のアイコン画像データを出力させ、画像合成部３２５にて、この画像データをウインドウ１０４の位置に枠内に収まるように合成し、出力することで、ウインドウ１０４に選択メニューアイコンの詳細表示をすることができる。
【００８９】
また、図３（ｂ）に示されるように、メニューアイコンを循環的にシフトさせている最中において、ウインドウ１０４を消去するときは、グラフィック用メモリ３１２から、ウインドウ枠のない背景画像を出力するとともに、詳細表示用メモリ３１３からの詳細画像用のアイコン画像の出力も停止する。これにより、画像合成部３２５において合成される画像から、ウインドウ１０４が消去されることになる。
【００９０】
このように、ＣＰＵ３２１からの指示を受けた画像コントローラ３２４により、メモリ部３１０に含まれる３つのメモリ３１１〜３１３からの画像データの出力と、画像合成部３２５における合成動作（すなわち、各画像を合成する際の画像メモリにおける書き込みアドレス）とを同時に制御する。これによって、メニューアイコンが循環的にシフトする画像、詳細画像表示用のウインドウが消去された画像、ウインドウと一部のメニューアイコンとが重複した画像、一部のメニューアイコンが表示されない画像等を、自在に作成し、表示することが可能となる。
【００９１】
図１２は、アイコンの循環的なシフトを実現するための動作手順を示すフロー図である。このフロー図による動作は、制御部３２０におけるＲＯＭ３２３等に格納されたソフトウェアプログラムに基づき、ＣＰＵ３２１、画像コントローラ３２４、画像合成部３２５などの処理により実行される。
【００９２】
電源オン後の初期画面や待ち受け画面から、ユーザによるメニューキー操作等に応じて、表示部１００に図７に示したようなメニュー選択画面が表示される。このメニュー選択画面によってユーザはメニュー項目に対応する各機能の選択を行うことができる。
【００９３】
メニューアイコン１０３と詳細画像表示用のウインドウ１０４とが表示されている状態（図３（ａ）に示されるメニュー選択画面の初期画面の状態）で、シフトキー１１０が操作されると（Ｓ４００）、図３（ｂ）に示すように、ウインドウ１０４を非表示とする（Ｓ４０１）。ただし、このステップＳ４０１は、省略する場合もある。
【００９４】
次に、シフトキー１１０による、メニューアイコンの循環的なシフトの操作指示方向を判断する（Ｓ４０２）。ここで、シフト操作指示方向が下方向ならば、メニューアイコン１０３を時計回りに１つだけシフトし（Ｓ４０３）、上方向ならば、メニューアイコン１０３を反時計回りに１つだけシフトする（Ｓ４０４）。そして、選択枠１０２の位置にあるメニューアイコン１０３に対応するメニュー項目の詳細画像アイコンを、ウインドウ１０４に拡大表示する（Ｓ４０５）。
【００９５】
ここで、選択キー１１２が押されなければ（Ｓ４０６）、ステップＳ４００に戻る。選択キー１１２が押された場合は（Ｓ４０６）、選択されたメニューアイコンに対応するメニュー項目（機能）に関する次の階層の対応機能画面の表示に移行する（Ｓ４０７）。そして、ユーザ操作に応じて、対応するメニュー項目の機能が実行される。選択されたメニュー項目の機能の実行後、ユーザによるバックキー操作等に応じて、メニュー選択画面の表示に戻ることができる。この場合は、前回に選択されたメニューアイコンが選択枠１０２の位置にある状態となる。
【００９６】
図１３は、シフトキーが断続的に押下されメニューアイコンが連続的に循環シフトする際の動作手順を示すフロー図である。なお、図１３において、前述した図１２のステップＳ４００，Ｓ４０１，Ｓ４０６，Ｓ４０７は省略されている。
【００９７】
シフトキー１１０が操作されたときに、図１２のＳ４００，Ｓ４０１の処理の後、シフトキー１１０によるメニューアイコンの循環的なシフトの操作指示方向を判断する（Ｓ５００）。ここで、シフト操作指示方向が下方向ならば、シフトキー１１０による操作が継続中であるか否かを判定する（Ｓ５０１）。シフトキー１１０の押下が継続したり、シフトキー１１０が連続的に押下操作され、シフト操作が継続中のときは、メニューアイコン１０３を時計回りに連続的にシフトさせる（Ｓ５０２）。そして、シフトキー１１０の操作が解除されると（Ｓ５０４）、メニューアイコン１０３の循環的なシフトを停止する（Ｓ５０５）。一方、ステップＳ５０１において、シフトキー１１０による操作が１回のみで、シフト操作が継続していない場合には、メニューアイコン１０３を時計回りに１つだけシフトする（Ｓ５０３）。
【００９８】
また、ステップＳ５００において、シフト操作指示方向が上方向の場合も同様に、シフトキー１１０による操作が継続中であるか否かを判定し（Ｓ５０６）、シフト操作が継続中のときは、メニューアイコン１０３を反時計回りに連続的にシフトさせる（Ｓ５０７）。そして、シフトキー１１０の操作が解除されると（Ｓ５０９）、メニューアイコン１０３の循環的なシフトを停止する（Ｓ５１０）。一方、ステップＳ５０６において、シフト操作が継続していない場合には、メニューアイコン１０３を反時計回りに１つだけシフトする（Ｓ５０８）。
【００９９】
そして、選択枠１０２の位置にあるメニューアイコン１０３に対応するメニュー項目の詳細画像アイコンを、ウインドウ１０４に拡大表示する（Ｓ４０５）。以後、図１２のＳ４０６，Ｓ４０７を実行する。
【０１００】
なお、メニューアイコン１０３の配列は、図５に示したように、ユーザの設定操作により任意に変更可能としたり、あるいは、メニューアイコン１０３の選択頻度や最近の選択履歴等に応じて、電子機器がメニューアイコンの配列を自動的に変更することも可能である。選択頻度等によりメニューアイコン１０３の配列変更を行う場合は、選択枠１０２の位置にあるメニューアイコン１０３が選択キー１１２により選択操作され、対応するメニュー項目の機能を実行する前または後に、選択されたメニュー項目の選択回数、選択履歴などを記憶し、メニュー選択の統計情報として保持しておく。そして、メニュー選択画面の初期画面において、メニュー項目の選択回数、選択履歴などに応じて、選択頻度の高いものや最近に選択されたものなどを選択枠１０２の位置またはその近傍に配置するよう、メニューアイコン１０３の配列を変更する。
【０１０１】
このように、本実施形態によれば、特別な技術を用いることなく、メニュー選択時における操作性や視認性を格段に向上させることができ、ユーザの負担を軽減することができる。
【０１０２】
（第３の実施形態）
第３の実施形態は、シフト操作指示を行うシフトキーの構成及びメニューアイコンの表示形態を変更した例である。図１４は第３の実施形態に係る表示部に表示したメニュー選択画面及びシフトキーの構成を示す図、図１５は第３の実施形態に係るシフトキーの操作によるメニューアイコンの配列の変化を示す図である。
【０１０３】
第３の実施形態では、電子機器が備えるシフトキー６１０として、上下方向に加えて左右方向の操作指示が可能な操作キーが設けられる。このシフトキー６１０は、上下左右の４方向にメニューアイコンをシフトさせることができる機能を有している。なお、シフトキーは、上または下の一方向と左または右の一方向との２方向にシフトさせる機能を持つだけでもよい。また、第１の実施形態と同様、シフトキー６１０の近傍に選択キー６１２が設けられる。
【０１０４】
図１４の表示部６００に表示されるメニュー選択画面において、縦長の環状（楕円形状）に配置されたアイコン群６０１が表示されるとともに、第１の実施形態と同様に選択枠１０２と詳細画像表示用のウインドウ１０４とが表示される。この図１４の状態で、ユーザがシフトキー６１０の上方向キー６１０ａまたは下方向キー６１０ｂを押下すると、第１の実施形態と同様、アイコン群６０１の各メニューアイコンが縦方向（上下方向）に回転するように順次移動し、循環的にシフトする。
【０１０５】
また、シフトキー６１０の左方向キー６１０ｃまたは右方向キー６１０ｄを押下すると、図１５（ａ）に示すようにメニュー選択画面の表示が切り替わり、横長の環状（楕円形状）に配置されたアイコン群６０２が表示される。その後さらにシフトキー６１０の左方向キー６１０ｃまたは右方向キー６１０ｄを押下すると、アイコン群６０２の各メニューアイコンが横方向（左右方向）に回転するように順次移動し、循環的にシフトする。例えば、図１５（ａ）の状態から左方向キー６１０ｃを１回押下すると、図１５（ｂ）に示すようにメニューアイコンが左方向へ１つ分シフトする。所望のメニューアイコンが選択枠１０２内に位置しているときに、ユーザが選択キー６１２を押下すると、そのメニューアイコンに対応したメニュー項目が選択され、そのメニュー項目を実行するための対応機能画面の表示に移行する。
【０１０６】
このように第３の実施形態では、４方向操作キーなどの多方向にシフト操作指示が可能なシフトキーを備え、このシフトキーの操作に応じて、縦方向（上下方向）及び横方向（左右方向）など、シフトキーの操作方向に対応させてメニューアイコンの配列及び巡回シフトを行うことができる。
【０１０７】
なお、上記第３の実施形態では、メニューアイコンの配列及び巡回シフトの方向が切り替わるようにしたが、電子機器の構成を簡略化して、左右方向（少なくとも左または右の一方向）にシフト操作指示可能なシフトキーを備えるものとし、メニュー選択画面においてメニューアイコンが横長に配列され、シフトキーの操作によってメニューアイコンが横方向（左右方向）のみに巡回シフトするようなものであってもよい。
【０１０８】
以上説明したように、本実施形態のメニュー表示制御方法によれば、直感的に、かつ、より簡単にメニュー選択をすることができ、メニュー選択時のユーザの負担が軽減される。本実施形態では、選択枠が固定されているため、ユーザは、視点を移動させる必要がなく、アイコンが循環的なシフトしているため、アイコンの相互の関係を把握し易く、ユーザにとって、見やすいアイコン選択画面が実現される。
【０１０９】
また、アイコンを基本的には一方向にシフトさせるだけでよいため、２次元の平面上でカーソル等を移動させる必要がある従来の方式に比べて、ユーザの負担は少なくなる。この場合、うっかりして、所望のメニューアイコンが選択枠を通り過ぎてしまった場合でも、シフト操作を続けていれば、一巡したメニューアイコンが選択枠に来るため、あるいは、通り過ぎたメニューアイコンを逆方向に少しだけ戻せばよいため、操作効率が良い。また、アイコンの直感的な操作でよいことから、ユーザの心理的な負担が軽減される。また、アイコンの全体像の把握が容易であるため、アイコンをシフトさせているユーザには、所望のアイコンが、選択枠に早く到着するように感じられ、この点でもユーザの心理的な負担が軽減される。
【０１１０】
また、基本的には、選択枠の前後の（一つか二つ程度の）アイコンさえ表示されていればメニュー選択を行うことができるため、表示部が狭い場合には、アイコンの数を削減することができる。アイコンを削減しても、アイコンは循環して表示されるため、アイコンの種類やアイコン相互の関係は容易に把握することができる。また、選択枠近傍のアイコンのサイズは大きくし、それ以外のアイコンのサイズは小さくした表示（つまり、遠近感を意識した表示）等の多様なバリエーションも採用し易い。
【０１１１】
また、表示部において、メニューアイコンのみならず、メニューアイコンとは別の表示エリアであるウインドウを設け、このウインドウに、選択枠の位置にあるアイコンの詳細画像等を表示することで、ユーザのアイコンの視認性を高めることができる。この場合、ウインドウの分だけアイコンの表示スペースが減少するが、一部のアイコンを非表示としたり、一部のアイコンのサイズを小さくしたり、あるいは、ウインドウと一部のアイコンとを重ねて表示する等の措置を採ることで、表示エリアが狭い場合でも十分に対応できる。
【０１１２】
そして、上記メニュー表示制御方法を採用した本実施形態の携帯電話装置等の電子機器は、メニュー選択が容易であり、ユーザの負担が少なく、電子機器の多機能化、小型化に効果的に対応することができる。特に、小型化、多機能化が進展する携帯端末機器において、限りある表示スペースを効果的に利用して、直感的で簡易な操作によって多数の機能の中から所望の機能を効率的に選択することを可能とすることで、ユーザの使い勝手を向上させることができる。
【０１１３】
このように、本実施形態によれば、限りある表示スペースを有効利用し、ユーザの負担を軽減しつつ、所望のメニュー（機能）を快適に選択することが可能となり、携帯端末装置等の電子機器の使い勝手を向上させ、ひいては、商品価値を高めることができる。
【産業上の利用可能性】
【０１１４】
本発明は、メニューアイコンを用いたメニュー選択に際し、アイコンを容易に確認できるようにしつつ、操作性を高めて、ユーザの負担を軽減することが可能となる効果を有し、表示部にメニュー選択画面を表示してメニュー項目の選択が可能な携帯端末装置等の電子機器におけるメニュー選択画面の表示制御技術等として有用である。
【図面の簡単な説明】
【０１１５】
【図１】本発明の第１の実施形態に係るメニュー表示制御方法の特徴を説明するための図
【図２】本実施形態における表示部のメニュー選択画面において、メニューアイコンと詳細画像表示用のウインドウとを表示する場合の表示態様の例を示す図
【図３】本実施形態におけるメニューアイコンのシフトに伴う表示制御の一例を示す図
【図４】本実施形態におけるメニューアイコンの表示の他の態様を示す図
【図５】本実施形態における複数のメニューアイコンの配列を変更可能とした例を説明するための図
【図６】本発明の第２の実施形態に係る携帯電話装置の外観構成及びメニュー選択画面の内容を示す正面図
【図７】第２の実施形態の携帯電話装置におけるメニュー選択画面を抜き出して拡大して示す図
【図８】本実施形態の携帯電話装置におけるメニュー選択画面の第１の変形例を示す図
【図９】本実施形態の携帯電話装置におけるメニュー選択画面の第２の変形例を示す図
【図１０】第２の実施形態の携帯電話装置におけるハードウエアの構成を示すブロック図
【図１１】第２の実施形態の携帯電話装置におけるハードウエアのより具体的な構成を示すブロック図
【図１２】本実施形態におけるアイコンの循環的なシフトを実現するための動作手順を示すフロー図
【図１３】本実施形態におけるシフトキーが断続的に押下されメニューアイコンが連続的に循環シフトする際の動作手順を示すフロー図
【図１４】本発明の第３の実施形態の携帯端末装置に係る表示部に表示したメニュー選択画面及びシフトキーの構成を示す図
【図１５】本発明の第３の実施形態に係るシフトキーの操作によるメニューアイコンの配列の変化を示す図
【符号の説明】
【０１１６】
１００、６００  表示部
１０２  選択枠
１０３  メニューアイコン
１０４  ウインドウ
１０６  選択キーの操作機能を示すソフトキー
１０８  テンキー
１１０、６１０  シフトキー
１１１  スピーカ
１１２、６１２  選択キー
１１５  レシーバ（マイク）
２００  携帯電話装置
３１０  メモリ部
３２０  制御部
３３０  操作部
６０１、６０２  アイコン群
【図１】
2005209174.tif 000003
【図２】
2005209174.tif 000004
【図３】
2005209174.tif 000005
【図４】
2005209174.tif 000006
【図５】
2005209174.tif 000007
【図６】
2005209174.tif 000008
【図７】
2005209174.tif 000009
【図８】
2005209174.tif 000010
【図９】
2005209174.tif 000011
【図１０】
2005209174.tif 000012
【図１１】
2005209174.tif 000013
【図１２】
2005209174.tif 000014
【図１３】
2005209174.tif 000015
【図１４】
2005209174.tif 000016
【図１５】
2005209174.tif 000017